(57)【要約】      （修正有）【課題】水密・気密性及び防火性に優れたガラス板の保持構造を提供する。【解決手段】網入りまたは防火性を備えたガラス板の周端部を枠体にて保持するガラス板の保持構造であって、ガラス板は、ガラス板の一方の面との間に設けられた不定形のシール材７と、ガラス板の他方の面との間に設けられ、発火温度よりも低い温度で膨張するとともに脆弱化する定形のシール材６により保持されている。【選択図】図３
2019143307.tif 000002
【特許請求の範囲】
【請求項１】
網入りまたは防火性を備えたガラス板の周端部を枠体にて保持するガラス板の保持構造であって、
前記ガラス板は、
当該ガラス板の一方の面と前記枠体との間に設けられた不定形のシール材と、
前記ガラス板の他方の面と前記枠体との間に設けられ、発火温度よりも低い温度で膨張するとともに脆弱化する定形のシール材により保持されていることを特徴とするガラス板の保持構造。
【請求項２】
請求項１に記載のガラス板の保持構造であって、
前記ガラス板に対し、前記他方の面側に加熱発泡材が設けられていることを特徴とするガラス板の保持構造。
【請求項３】
請求項２に記載のガラス板の保持構造であって、
前記加熱発泡材は、加熱されて発泡し、膨張した前記定形のシール材を押圧して前記ガラス板の他方の面と前記枠体との間に進入することを特徴とするガラス板の保持構造。
【請求項４】
請求項１乃至請求項３のいずれかに記載のガラス板の保持構造であって、
前記不定形のシール材は、不燃性のバックアップ材とともに設けられていることを特徴とするガラス板の保持構造。
【発明の詳細な説明】
【技術分野】
【０００１】
本発明は、ガラス板の周端部を枠体にて保持するガラス板の保持構造に関する。
【背景技術】
【０００２】
ガラス板の保持構造としては、例えば、サッシの内周溝にセラミック繊維ロープよりなる不燃性バックアップ材を装填してから、内周溝に単板でなる金網入りのガラスを嵌め込み、ガラスと内周溝の開口縁との間に不定形のシーリング材を詰めて形成される防火ガラス戸のガラス板の保持構造が知られている（例えば、特許文献１参照）。シーリング材は、ガラス及びサッシと各々糊着しており、ビードなどの定形のシーリング材より発火温度が高く、また高い水密・気密性を備えている。
【先行技術文献】
【特許文献】
【０００３】
【特許文献１】特許第２７５６６５２号公報
【発明の概要】
【発明が解決しようとする課題】
【０００４】
上記ガラスの保持構造では、ガラスが単板の金網入りのガラスなので、例えば、Ｌｏｗ−Ｅガラスのように遠赤外線を反射しないため、火災時には、ガラスの火元と反対側に設けられているシーリング材も加熱される虞がある。加熱されたシーリング材は溶融されて内周溝等に残存し、更に加熱されると発火する虞がある。すなわち、ガラスにより仕切られていたとしても、シーリング材が発火することにより、ガラスに対して火元と反対側の空間側に延焼してしまう虞がある。
【０００５】
本発明は、かかる課題に鑑みてなされたものであり、その目的とするところは、水密・気密性及び防火性に優れたガラス板の保持構造を提供することにある。
【課題を解決するための手段】
【０００６】
かかる目的を達成するために本発明のガラス板の保持構造は、網入りまたは防火性を備えたガラス板の周端部を枠体にて保持するガラス板の保持構造であって、前記ガラス板は、当該ガラス板の一方の面と前記枠体との間に設けられた不定形のシール材と、前記ガラス板の他方の面と前記枠体との間に設けられ、発火温度よりも低い温度で膨張するとともに脆弱化する定形のシール材により保持されていることを特徴とするガラス板の保持構造である。
【０００７】
このようなガラス板の保持構造によれば、ガラス板は、一方の面と枠体との間に不定形のシール材が設けられているので、両面がいずれも定形のシール材により保持されている場合より高い水密・気密性を備えることが可能である。また、ガラス板の他方の面と枠体との間には、発火温度よりも低い温度で膨張するとともに脆弱化する定形のシール材が設けられているので、一方の面側が火元となる火災の場合には、ガラス板の他方の面との間に設けられている定形のシール材が、加熱されて発火する前に膨張するとともに脆弱化する。このため、定形のシール材が、ガラス板の一方の面側の火炎により加熱されたとしても、脆弱化した定形のシール材は枠体外に膨出してしまうので、定形のシール材は発火する前にガラス板の他方の面と枠体との間から定形のシール材は存在しなくなる。このため、水密・気密性及び防火性に優れたガラス板の保持構造を提供することが可能である。
【０００８】
かかるガラス板の保持構造であって、前記ガラス板に対し、前記他方の面側に加熱発泡材が設けられていることを特徴とする。
このようなガラス板の保持構造によれば、ガラス板に対して他方の面側に設けられている加熱発泡材は、加熱されて膨張すると定形のシール材を押圧する。このため、加熱されて脆弱になった定形のシール材を、当該シール材が発火する前にガラス板と枠材との間からより早く、且つ、より確実に排出することが可能である。
【０００９】
かかるガラス板の保持構造であって、前記加熱発泡材は、加熱されて発泡し、膨張した前記定形のシール材を押圧して前記ガラス板の他方の面と前記枠体との間に進入することを特徴とする。
このようなガラス板の保持構造によれば、加熱されて発泡した加熱発泡材は、膨張した定形のシール材を押圧するので、膨張した定形のシール材は発泡した加熱発泡材により枠体の外方向に押圧され脆弱化すると、枠体の外側に押し出されやすくなる。このとき、発泡した加熱発泡材はガラス板の他方の面と枠体との間に進入するので、定形のシール材が押し出されて存在しなくなるときには、発泡した加熱発泡材がガラス板と枠材との間に存在する。このため、たとえ定形のシール材が存在しなくなったとしても発泡した加熱発泡材と不定形のシール材とによりガラス板を保持することが可能である。
【００１０】
かかるガラス板の保持構造であって、前記不定形のシール材は、不燃性のバックアップ材とともに設けられていることを特徴とする。
このようなガラス板の保持構造によれば、不定形のシール材とともに設けられているバックアップ材は不燃性なので、不定形のシール材が溶融したとしてもバックアップ材が燃焼することはない。このため、より高い防火性を備えることが可能である。
【発明の効果】
【００１１】
本発明によれば、水密・気密性及び防火性に優れたガラス板の保持構造を提供することが可能である。
【図面の簡単な説明】
【００１２】
【図１】本実施形態に係るガラス板の保持構造を示す横断面図である。
【図２】本実施形態に係るガラス板の保持構造を示す縦断面図である。
【図３】図１におけるＡ部の拡大図である。
【図４】ガラス板が屋内側に配置されている場合のガラス板の保持構造を示す横断面図である。
【図５】ガラス板の屋外側にビードが、屋内側に湿式のシール材が設けられているガラス板の保持構造を示す横断面図である。
【図６】障子が備える框体のガラス板をビードと湿式のシール材とにより保持するガラス板の保持構造を示す横断面図である。
【発明を実施するための形態】
【００１３】
以下、本発明の一実施形態に係るガラス板の保持構造について図面を参照して説明する。
本実施形態では、ガラス板の保持構造を、建物に設けられるＦＩＸ窓を例に挙げて説明する。
【００１４】
図１、図２に示すように、本実施形態のＦＩＸ窓用の建具１は、躯体２の開口２ａにアンカー３を介して取り付けられる枠体４と、枠体４の内周側に取り付けられる単板の網入りガラス板(以下、ガラス板という)５と、を有している。
【００１５】
以下の説明においては、躯体２の取り付けられた建具１を屋内側から見たときに、上下となる方向を上下方向、左右となる方向を左右方向、屋内外方向である奥行き方向を見込み方向として示す。建具１の各部位であっても、また、建具１を構成する各部材については単体の状態であっても、建具１が躯体２に取り付けられている状態にて上下方向、左右方向、奥行き方向となる方向にて方向を特定して説明する。
【００１６】
枠体４は、４本の押し出し成形部材でなる上枠４１、下枠４２、左右の縦枠４３が矩形状に枠組みされている。下枠４２及び左右の縦枠４３には、枠組みされた状態にて各々互いに対向する部位、すなわち矩形状をなす枠体４の内周部に、外周側に窪む溝状をなし、ガラス板５の周端部５ａが収容されるガラス板収容部４０が設けられている。
【００１７】
下枠４２のガラス板収容部４０は、下枠４２が有する中空部４２ａを形成する下枠内周面４２ｂに設けられ、上方が開放された開口部が、ガラス板５が挿入される挿入口をなして中空部４２ａ内にガラス板５の下端部５ａが収容されるように形成されている。
【００１８】
縦枠４３のガラス板収容部４０は、左右の縦枠４３が各々有する互いに対向する縦枠内周面４３ａと、縦枠内周面４３ａから互いに対向する側に突出する２つの突出壁部４３ｂにより形成されている。より具体的には、見込み方向に間隔を空けて設けられている２つの突出壁部４３ｂの先端側の開口部が、ガラス板５が挿入される挿入口をなして、２つの突出壁部４３ｂと縦枠内周面４３ａとにより形成される溝部内にガラス板５の左右の端部５ａが収容されるように形成されている。
【００１９】
ガラス板収容部４０の開放されている側、すなわちガラス板５が挿入される挿入口側の端部には、発火温度より低い温度で膨張するとともに脆弱化する定形のシール材としてのビード６が嵌合可能かつ不定形のシール材としての湿式のシール材７を不燃性のバックアップ材８とともにガラス板５との間に挟持可能なシール配置部４０ａが見込み方向に対向させて設けられている。ここで、定形のシール材のビード６としては、加熱されて熱膨張するとともに熱分解により弾性が消失することにより、ガラス板５が保持できないほど脆くなる、例えば、ポリ塩化ビニル樹脂（ＰＶＣ）製のビードが挙げられ、不定形のシール材の湿式のシール材７としては、例えば、シリコーン系シール材が挙げられ、不燃性のバックアップ材８としては、例えば、グラスファイバー系バックアップ材が挙げられる。また、ここでビード６の発火温度とは、加熱されたときに火種が無くともビード６が発火する温度を示している。
【００２０】
下枠４２及び縦枠４３のシール配置部４０ａは、向きが異なるだけで同形状なので、ここでは縦枠４３のシール配置部４０ａを例に挙げて説明する。
図３に示すように、縦枠４３に設けられているシール配置部４０ａは、２つの突出壁部４３ｂの先端側に各々、対向する側に突出させて設けられている。各シール配置部４０ａは、突出壁部４３ｂの先端から互いに対向する側に延出された先端壁部４０ｂと、先端壁部４０ｂから縦枠内周面４３ａ側に延出された内周延出部４０ｃと、先端壁部４０ｂと左右方向において間隔を空けて対向し突出壁部４３ｂの中央近傍から延出された中央延出部４０ｄと、中央延出部４０ｄから内周延出部４０ｃ側に延出された対向延出部４０ｅと、を有している。
【００２１】
内周延出部４０ｃと対向延出部４０ｅとは、左右方向に沿って直線状に配置されており、内周延出部４０ｃと対向延出部４０ｅとの間にはスリット４０ｆが設けられている。内周延出部４０ｃは、対向延出部４０ｅより左右方向の幅が広く形成されており、スリット４０ｆは、中央延出部４０ｄ側に偏った位置に設けられている。中央延出部４０ｄは、対向延出部４０ｅよりも屋外側に突出する突部４０ｇを有している。
【００２２】
下枠４２においては、中空部４２ａを形成する下枠内周面４２ｂをなす部位がシール配置部４０ａの先端壁部４０ｂをなし、中空部４２ａを形成し屋外に臨む屋外壁部４２ｃの先端部に屋外側のシール配置部４０ａが設けられ、屋外側のシール配置部４０ａと屋内側に間隔を空けて屋内側のシール配置部４０ａが設けられている。
【００２３】
上枠４１は、下枠４２と対向する上枠内周面４１ａから下方に垂設され下端の屋外側にシール配置部４０ａが設けられている垂設壁部４１ｂと、上枠内周面４１ａに設けられた係止部４１ｃに係止される押縁９と、上枠内周面４１ａの一部とによりガラス板５の上端部５ａが収容されるように形成されている。
【００２４】
ガラス板５は、下枠４２の中空部４２ａにおける底部４２ｄに配置された不燃性のセッティングブロック１０上に載置され、屋内側に設けられたビード６と、屋外側に設けられた湿式のシール材７とにより挟持されて保持されている。より具体的には、ガラス板５の屋内側は、矩形状に枠組みされた上枠４１、下枠４２、左右の縦枠４３の屋内側のシール配置部４０ａに嵌合されたビード６が設けられている。
【００２５】
ガラス板５の屋外側には、下枠４２、左右の縦枠４３の屋外側のシール配置部４０ａ及び押縁９のシール配置部４０ａとガラス板５との間に、枠体４の内周側から挿入されて突部４０ｇに当接されて位置決めされスリット４０ｆを塞ぐように配置される不燃性のバックアップ材８が設けられており、バックアップ材８の内周側に湿式のシール材７が充填されている。本実施形態にいては、ガラス板５の一方の面が、屋外側の面に相当し、他方の面が屋内側の面に相当する。
【００２６】
下枠４２のガラス板収容部４０の底をなす中空部４２ａの底部４２ｄは、屋外側に水平な平底部４２ｅと、平底部４２ｅの屋内側に、屋内側に向かって高くなる傾斜を有する傾斜底部４２ｆと、を有している。平底部４２ｅと傾斜底部４２ｆとの境界部分は、屋内側のシール配置部４０ａと上下方向に対向する位置より屋内側に位置している。
【００２７】
セッティングブロック１０は、下枠４２の全長より大幅に短いピース状の部材であり、平底部４２ｅに配置されている。平底部４２ｅにおいてセッティングブロック１０が配置されていない部位には、加熱された際に発泡する加熱発泡材１１が設けられている。すなわち、ガラス板５に対して屋内側であり、ビード６が設けられている屋内側のシール配置部４０ａとガラス板５との間と上下方向に対向する位置にも加熱発泡材１１が設けられている。また、中空部４２ａを形成する屋外壁部４２ｃの内面にも加熱発泡材１１が設けられている。ここで、加熱発泡材１１としては、例えば、熱膨張性黒鉛が挙げられる。
【００２８】
上枠４１のガラス板収容部４０内には、垂設壁部４１ｂのシール配置部４０ａよりも外周側に、また、押縁９のシール配置部４０ａよりも外周側に、上枠４１及び押縁９の全長に亘って加熱発泡材１１が設けられている。
【００２９】
左右の縦枠４３のガラス板収容部４０内には、縦枠内周面４３ａの屋内側の部位、より具体的には、ガラス板５の屋外側の面より屋外側の位置から屋内側の領域に、縦枠４３の全長に亘って加熱発泡材１１が設けられている。すなわち、ガラス板５に対し屋内側であり、ビード６が設けられている屋内側のシール配置部４０ａとガラス板５との間と左右方向に対向する位置にも加熱発泡材１１が設けられている。
【００３０】
本実施形態のガラス板５の保持構造によれば、ガラス板５は、屋外側の面との間に湿式のシール材７が設けられているので、両面がいずれも定形のシール材により保持されている場合より高い水密・気密性を備えることが可能である。
【００３１】
また、ガラス板５の屋内側の面との間には、発火温度よりも低い温度で膨張するとともに脆弱化するビード６が設けられているので、屋外側が火元となる火災の場合には、ガラス板５の屋内側の面との間に設けられているビード６は発火する前に膨張するとともに脆弱化する。このため、ビード６が屋外側の火炎により加熱されたとしても、脆弱化したビード６は枠体４のガラス板収容部４０の外に膨出するので、発火する前にビード６はガラス板５と枠体４との間には存在しなくなる。よって、屋外側が火元となる火災の場合には、ガラス板５の屋内側のビード６は発火しないので、屋内側への延焼を防止することが可能である。このため、水密・気密性及び防火性に優れたガラス板５の保持構造を提供することが可能である。
【００３２】
また、ガラス板５に対して屋内側に設けられている加熱発泡材１１は、加熱されて膨張するとビード６を押圧する。このとき、加熱発泡材１１は、発泡による体積の増加速度が、ビード６の熱膨張による体積の増加速度より速く、体積の増加率も大きい。このため、加熱発泡材１１が発泡し始めて体積が増加すると、まず熱膨張し始めたビード６に接触して押圧し始める。一方、ビード６は、加熱され続けると揮発性ガスが脱けつつ質量が減少し次第に脆弱になる。加熱発泡材１１が完全に発泡し終わる頃には、ビード６はガラス板５が保持できないほど脆くなるため、ビード６は、発泡した加熱発泡材１１により、屋内側のシール配置部４０ａとガラス板５との間から枠体４の外に徐々に押し出される。このため、加熱されて脆弱になったビード６を、当該ビード６が発火する前にガラス板５と枠体４との間からより早く、かつ、より確実に排出することが可能である。
【００３３】
また、発泡した加熱発泡材１１は、ガラス板５の屋内側の面と枠体４との間に進入するので、ビード６が押し出されて存在しなくなるときには、発泡した加熱発泡材１１がガラス板５の屋内側の面と枠材４との間に存在している。このため、たとえビード６が存在しなくなったとしても発泡した加熱発泡材１１と湿式のシール材７とによりガラス板５を保持することが可能である。このとき、ビード６が、ガラス板５が保持できないほど脆くなる温度は、ビード６が加熱されて火種が無くとも発火する発火温度よりも十分低く、ビード６は発火温度に達する前に、ガラス板５と枠材４との間から押し出されているので、ビード６がガラス板５と枠材４との間およびその近傍にて発火することを防止することが可能である。
【００３４】
また、湿式のシール材７とともに設けられているバックアップ材８は不燃性なので、湿式のシール材７が溶融したとしてもバックアップ材８は燃焼することはない。このため、より高い防火性を備えることが可能である。
【００３５】
上記実施形態においては、ガラス板５の屋外側に湿式のシール材７、屋内側にビード６が設けられている例について説明したが、図４に示すように、ガラス板５が建物の屋内寄りに配置されている場合や、屋内側に火元となる可能性がある装置や設備が備えられているなど、建具１が設置される現場に応じて、図５に示すようにガラス板５の屋外側にビード６を、屋内側に湿式のシール材７を設けても構わない。
【００３６】
上記実施形態においては、ＦＩＸ窓用の建具１が備える枠体４を例に挙げて説明したが、これに限らず、例えば、図６に示すように、枠体１２に装着される障子１３が備える枠体としての框体１４のガラス板５をビード６と湿式のシール材７とにより保持しても構わない。
【００３７】
上記実施形態においては、ガラス板の一例として網入りのガラス板を例に挙げて説明したが、これに限らず、耐火・耐熱など防火性を備えたガラス板であれば構わない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３９】
１  建具、４  枠体、５  ガラス板、５ａ  周端部（上端部、下端部、左右の端部）
６  ビード、７  湿式のシール材、８  バックアップ材、１１  加熱発泡材、
１２  枠体、１４  框体
【図１】
2019143307.tif 000003
【図２】
2019143307.tif 000004
【図３】
2019143307.tif 000005
【図４】
2019143307.tif 000006
【図５】
2019143307.tif 000007
【図６】
2019143307.tif 000008